(57)【要約】      （修正有）【課題】露出している接続構造により、キーボード全体の美観を損なわない分離、折畳み式キーボードを提供する。【解決手段】接続部品１２２はシート体１１０に移動可能に設置され、シート体の折畳み位置と展開位置との間を移動できる。第一移動部品１２４Ａ及び第二移動部品１２４Ｂは相互に接近又は分離させるよう、接続部品の向かい合う両側に相対移動可能に設置される。第一入力モジュール１３０Ａは第一移動部品に回転可能に接続され且つ接続された第一接続側と第一折畳み側を含み、第二入力モジュール１３０Ｂは第二移動部品に回転可能に接続され且つ接続された第二接続側と第二折畳み側を含む。接続部品が折畳み位置に位置する時、第一入力モジュールの第一折畳み側は第二入力モジュールの第二折畳み側に接近され、接続部品が展開位置に位置する時、第一入力モジュールの第一接続側は第二入力モジュールの第二接続側に接続される。【選択図】図１
2016081532.tif 000002
【特許請求の範囲】
【請求項１】
シート体と、
前記シート体に移動可能に設置し、前記シート体の折畳み位置と展開位置との間を移動できる接続部品と、相互に接近又は分離させるよう、前記接続部品の向かい合う両側に相対移動可能に設置される第一移動部品及び第二移動部品とを有する接続モジュールと、
前記第一移動部品に回転可能に接続され、接続している第一接続側と第一折畳み側を含む第一入力モジュールと、
前記第二移動部品に回転可能に接続され、接続している第二接続側と第二折畳み側を含む第二入力モジュールと、
を備え、
前記接続部品が前記折畳み位置に位置する時、前記第一入力モジュールの前記第一折畳み側は前記第二入力モジュールの前記第二折畳み側に接近され、前記接続部品が前記展開位置に位置する時、前記第一入力モジュールの前記第一接続側は前記第二入力モジュールの前記第二接続側に接続されることを特徴とする入力デバイス。
【請求項２】
前記第一移動部品及び前記第二移動部品は前記接続部品に対して第一方向に沿って往復に移動できることを特徴とする請求項１に記載の入力デバイス。
【請求項３】
前記接続部品は第二方向に沿って前記折畳み位置と前記展開位置との間を移動し、前記第一方向は前記第二方向に垂直であることを特徴とする請求項２に記載の入力デバイス。
【請求項４】
前記接続部品が前記第二方向に沿って前記折畳み位置と前記展開位置との間を移動する時、前記第一移動部品及び前記第二移動部品は前記接続部品に対して連動して前記第一方向に沿って往復に移動することを特徴とする請求項３に記載の入力デバイス。
【請求項５】
前記接続部品は平行な２つの第一位置決めレール及び平行な２つの第二位置決めレールを備え、前記第一移動部品は前記２つの第一位置決めレールにそれぞれスライド設置される２つの第一スライドバンプを有し、前記第二移動部品は前記２つの第二位置決めレールにそれぞれスライド設置された２つの第二スライドバンプを有することを特徴とする請求項１から４のいずれか１項に記載の入力デバイス。
【請求項６】
前記接続モジュールは、前記第一移動部品及び前記接続部品に接続された第一弾性部品と、前記第二移動部品及び前記接続部品に接続された第二弾性部品と、をさらに備え、
前記第一弾性部品及び前記第二弾性部品の弾性回復力は前記第一移動部品及び前記第二移動部品を相互に接近させることを特徴とする請求項１から５のいずれか１項に記載の入力デバイス。
【請求項７】
前記第一弾性部品及び前記第二弾性部品はねじりばねであることを特徴とする請求項６に記載の入力デバイス。
【請求項８】
前記シート体は、第一ガイド構造を含み、前記接続部品は前記第一ガイド構造のビット制限を受けて前記第一ガイド構造中を移動することを特徴とする請求項１から７のいずれか１項に記載の入力デバイス。
【請求項９】
前記第一入力モジュールは２つの第一摺動軸を有し、前記第二入力モジュールは２つの第二摺動軸を有し、前記シート体は４つの第二ガイド構造を備え、前記第一摺動軸及び前記第二摺動軸は複数の前記第二ガイド構造の一つに各自スライド設置されることを特徴とする請求項１から８のいずれか１項に記載の入力デバイス。
【請求項１０】
前記入力デバイスは分離式キーボードであることを特徴とする請求項１から９のいずれか１項に記載の入力デバイス。
【請求項１１】
前記第一入力モジュールは前記第二入力モジュールに直接接続しないことを特徴とする請求項１から１０のいずれか１項に記載の入力デバイス。
【請求項１２】
前記接続部品が前記折畳み位置及び前記展開位置に位置する時、前記第一入力モジュール及び前記第二入力モジュールは前記接続モジュールを共同で遮ることを特徴とする請求項１から１１のいずれか１項に記載の入力デバイス。
【発明の詳細な説明】
【技術分野】
【０００１】
本発明は入力デバイスに関するものであり、特に分離式入力デバイスに関するものである。
【背景技術】
【０００２】
科学技術の発展につれて、ポータブルパソコンの体積と形状の改善はポータブルの利便性を向上させる重要な課題の一つである。しかしながら、ポータブルパソコンの体積及び面積はキーボードの幅を制限し、過度に縮小又は変形したキーボードは使用者に入力を不便にさせている。したがって、ノートパソコン又はタブレットパソコンのポータブルパソコンのキーボードの分離、折畳みはさらに重要な機能となる。
【発明の概要】
【発明が解決しようとする課題】
【０００３】
現有する分離式キーボードはいずれも露出している接続構造により分離している２つのキーボードを接続させる。
【０００４】
しかしながら、露出している接続構造は全体の美観に影響し、且つ、余分な面積を占有してしまう。
【課題を解決するための手段】
【０００５】
本発明の入力デバイスはシート体、接続モジュール、第一入力モジュール及び第二入力モジュールを備え、接続モジュールは接続部品、第一移動部品及び第二移動部品を備える。接続部品はシート体に移動可能に設置され、シート体の折畳み位置と展開位置との間を移動できる。第一移動部品及び第二移動部品は相互に接近又は分離させるよう、接続部品の向かい合う両側に相対移動可能に設置される。第一入力モジュールは第一移動部品に回転可能に接続され、且つ、接続された第一接続側と第一折畳み側を含み、第二入力モジュールは第二移動部品に回転可能に接続され、且つ、接続された第二接続側と第二折畳み側を含む。接続部品が折畳み位置に位置する時、第一入力モジュールの第一折畳み側は第二入力モジュールの第二折畳み側に接近される。接続部品が展開位置に位置する時、第一入力モジュールの第一接続側は第二入力モジュールの第二接続側に接続される。
【０００６】
本発明の実施形態において、上記第一移動部品及び上記第二移動部品は上記接続部品に対して第一方向に沿って往復に移動できる。
【０００７】
本発明の実施形態において、上記接続部品は第二方向に沿って折畳み位置と展開位置との間を移動し、第一方向は第二方向に垂直である。
【０００８】
本発明の実施形態において、上記接続部品が第二方向に沿って折畳み位置と展開位置との間を移動する時、第一移動部品及び第二移動部品は接続部品に対して連動して第一方向に沿って往復に移動する。
【０００９】
本発明の実施形態において、上記接続部品は平行な２つの第一位置決めレール及び平行な２つの第二位置決めレールを備え、第一移動部品は２つの第一スライドバンプを有し、２つの第一位置決めレールにそれぞれスライド設置され、第二移動部品は２つの第二スライドバンプを有し、２つの第二位置決めレールにそれぞれスライド設置される。
【００１０】
本発明の実施形態において、上記接続モジュールは、第一移動部品及び第二弾性部品をさらに備える。第一弾性部品は第一移動部品及び接続部品に接続され、第二弾性部品は第二移動部品及び接続部品に接続される。第一弾性部品及び第二弾性部品の弾性回復力は第一移動部品及び第二移動部品を相互に接近させる。
【００１１】
本発明の実施形態において、上記第一弾性部品及び上記第二弾性部品はねじりばねである。
【００１２】
本発明の実施形態において、上記シート体は、第一ガイド構造を含み、接続部品は第一ガイド構造のビット制限を受けて第一ガイド構造中を移動させる。
【００１３】
本発明の実施形態において、上記第一入力モジュールは２つの第一摺動軸を有し、上記第二入力モジュールは２つの第二摺動軸を有し、シート体は４つの第二ガイド構造を備える。第一摺動軸及び第二摺動軸は複数の第二ガイド構造の一つに各自スライド設置される。
【００１４】
本発明の実施形態において、上記入力デバイスは分離式キーボードである。
【００１５】
本発明の実施形態において、上記第一入力モジュールは上記第二入力モジュールに直接接続しない。
【００１６】
本発明の実施形態において、上記接続部品が折畳み位置及び展開位置に位置する時、第一入力モジュール及び第二入力モジュールは接続モジュールを共同で遮る。
【発明の効果】
【００１７】
以上のように、本発明の入力デバイスは簡単な接続モジュールにより第一入力モジュール及び第二入力モジュールを折畳む又は展開させることができ、折畳み時には体積を簡単に縮小し、展開時にはユーザーが便利に使用できる。
【図面の簡単な説明】
【００１８】
本発明の上述した特徴と利点を更に明確化するために、以下、幾つかの実施形態を挙げて図面と共に詳細な内容を説明する。
【００１９】
【図１】本発明の第一実施形態における入力デバイスの分解図である。
【図２】図１の入力デバイスのシート体の俯瞰図である。
【図３Ａ】図１の入力デバイスの２種類の状態の底面図である。
【図３Ｂ】図１の入力デバイスの２種類の状態の底面図である。
【図４Ａ】図１の入力デバイスの接続モジュールの２種類の状態の図である。
【図４Ｂ】図１の入力デバイスの接続モジュールの２種類の状態の図である。
【図５Ａ】本発明の第二実施形態における入力デバイスのシート体の図である。
【図５Ｂ】本発明の第二実施形態における入力デバイスの第一入力モジュールと第二入力モジュールの図である。
【図６Ａ】本発明の第二実施形態における入力デバイスの３種類の状態の図である。
【図６Ｂ】本発明の第二実施形態における入力デバイスの３種類の状態の図である。
【図６Ｃ】本発明の第二実施形態における入力デバイスの３種類の状態の図である。
【図７Ａ】本発明の第三実施形態における入力デバイスの接続モジュールの２種類の状態の図である。
【図７Ｂ】本発明の第三実施形態における入力デバイスの接続モジュールの２種類の状態の図である。
【図８Ａ】本発明の第三実施形態における入力デバイスの３種類の状態の図である。
【図８Ｂ】本発明の第三実施形態における入力デバイスの３種類の状態の図である。
【図８Ｃ】本発明の第三実施形態における入力デバイスの３種類の状態の図である。
【発明を実施するための形態】
【００２０】
図１は本発明の第一の実施形態に基づく入力デバイスの分解図である。図１からわかるように、本発明の実施形態において、入力デバイス１００はシート体１１０、接続モジュール１２０、第一入力モジュール１３０Ａ及び第二入力モジュール１３０Ｂを備える。接続モジュール１２０は接続部品１２２、第一移動部品１２４Ａ及び第二移動部品１２４Ｂを備え、且つ、第一移動部品１２４Ａ及び第二移動部品１２４Ｂは相互に接近又は分離させるよう、接続部品１２２の向かい合う両側に相対移動可能に設置され、接続部品１２２はシート体１１０に移動可能に設置される。第一入力モジュール１３０Ａは第一移動部品１２４Ａに回転可能に接続され、第二入力モジュール１３０Ｂは第二移動部品１２４Ｂに回転可能に接続される。相互に接近又は分離させるよう、第一移動部品１２４Ａ及び第二移動部品１２４Ｂは接続部品１２２の向かい合う両側に対して相対移動可能に接続されることは、第一移動部品１２４Ａ及び第二移動部品１２４Ｂはいずれも接続部品１２２に接続され分離しないが、第一移動部品１２４Ａ及び第二移動部品１２４Ｂと接続部品１２２との間の相対位置は変更できることを表し、例えば、第一移動部品１２４Ａ及び第二移動部品１２４Ｂは相互に接近する、又は第一移動部品１２４Ａ及び第二移動部品１２４Ｂは相互に分離する。第一入力モジュール１３０Ａは第一移動部品１２４Ａに回転可能に接続されることは、第一入力モジュール１３０Ａは第一移動部品１２４Ａに接続されて分離しないが、第一入力モジュール１３０Ａは第一移動部品１２４Ａに対して回転できることを表している。本明細書が提示する「移動可能に設置」及び「回転可能に接続」が表す意味はいずれも上記記述に相似する。
【００２１】
図２は図１の入力デバイスのシート体の俯瞰図である。図１及び図２からわかるように、本発明の実施形態において、第一入力モジュール１３０Ａは接続された第一接続側１３１Ａと第一折畳み側１３３Ａを含み、第二入力モジュール１３０Ｂは接続された第二接続側１３１Ｂと第二折畳み側１３３Ｂを含む。本実施形態において、第一接続側１３１Ａは実質的に第一折畳み側１３３Ａに垂直であり、第二接続側１３１Ｂは実質的に第二折畳み側１３３Ｂに垂直であるが、本発明はこれに限定しない。接続部品１２２はシート体１１０の折畳み位置１１１と展開位置１１３との間を移動できる。第一入力モジュール１３０Ａは接続モジュール１２０により第二入力モジュール１３０Ｂを接続する、即ち、第一入力モジュール１３０Ａ及び第二入力モジュール１３０Ｂが直接相互に接続する機構が必要な空間を省くよう、第一入力モジュール１３０Ａは第二入力モジュール１３０Ｂに直接接続しない。
【００２２】
図３Ａ及び図３Ｂは図１の入力デバイスの２種類の状態の底面図である。図２、図３Ａ及び図３Ｂからわかるように、図３Ａは本実施形態における接続部品１２２が折畳み位置１１１に位置する時の状態であり、図３Ｂは本実施形態における接続部品１２２が展開位置１１３に位置する時の状態である。本実施形態において、接続部品１２２が折畳み位置１１１に位置する時、第一入力モジュール１３０Ａの第一折畳み側１３３Ａは第二入力モジュール１３０Ｂの第二折畳み側１３３Ｂに接近する。このように、第一入力モジュール１３０Ａ及び第二入力モジュール１３０Ｂはアスペクト比の比較的小さな矩形を共同で構成し、一般のスクリーンのアスペクト比に近づけてスクリーンと共同で折畳み時の全体の面積を縮小する。接続部品１２２が展開位置１１３に位置する時、第一入力モジュール１３０Ａの第一接続側１３１Ａは第二入力モジュール１３０Ｂの第二接続側１３１Ｂに接続される。このように、第一入力モジュール１３０Ａ及び第二入力モジュール１３０Ｂはアスペクト比の比較的大きな矩形を共同で構成し、一般のキーボードのアスペクト比に近づけて使用しやすくする。本実施形態において、入力デバイス１００が展開及び折畳み時に、接続モジュール１２０は第一入力モジュール１３０Ａ及び第二入力モジュール１３０Ｂの後方に位置するので、ユーザーは接続モジュール１２０を見ることはない。同時に、接続モジュール１２０は入力デバイス１００の面積を追加で増加することもなく、入力デバイス１００の必要な空間もさらに減少できる。換言すると、本実施形態の接続部品１２２は折畳み位置１１１及び展開位置１１３に位置する時、第一入力モジュール１３０Ａ及び第二入力モジュール１３０Ｂはいずれも接続モジュール１２０を共同で遮る。
【００２３】
本発明の実施形態において、入力デバイス１００は例えば分離式キーボードであり、第一入力モジュール１３０Ａ及び第二入力モジュール１３０Ｂが隣接するシート体１１０の表面は、例えばキーボードボタン又はタッチパネルを有する入力インターフェースを形成し、且つ、第一入力モジュール１３０Ａは第一軸１３６Ａ及び第一移動部品１２４Ａにより回転可能に接続され、第二入力モジュール１３０Ｂは第二軸１３６Ｂ及び第二移動部品１２４Ｂにより回転可能に接続される。本実施形態において良好な折畳み機能を有する分離式キーボードを提供する。第一接続側１３１Ａが第二接続側１３１Ｂに接続される時、第一入力モジュール１３０Ａは第二入力モジュール１３０Ｂに電気的に接続するが、本発明はこれに限定しない。その他の実施形態において、第一入力モジュール１３０Ａ及び第二入力モジュール１３０Ｂは各自電気的に独立した入力インターフェースであることができる。
【００２４】
図４Ａ及び図４Ｂは図１の入力デバイスの接続モジュールの２種類の状態の図である。図４Ａ及び図４Ｂからわかるように、本発明の第一実施形態において、上記接続部品１２２は平行な２つの第一位置決めレール１２１Ａ及び平行な２つの第二位置決めレール１２１Ｂを備える。第一移動部品１２４Ａは２つの第一スライドバンプ１２８Ａを有し、２つの第一位置決めレール１２１Ａにそれぞれスライド設置され、第二移動部品１２４Ｂは２つの第二スライドバンプ１２８Ｂを有し、２つの第二位置決めレール１２１Ｂにそれぞれスライド設置される。第一移動部品１２４Ａは例えば接続構造１２３Ａ及び上記第一入力モジュール１３０Ａにより回転可能に接続され、第二移動部品１２４Ｂは例えば接続構造１２３Ｂ及び上記第二入力モジュール１３０Ｂにより回転可能に接続される。第一移動部品１２４Ａ及び第二移動部品１２４Ｂは各自第一スライドバンプ１２８Ａ、第二スライドバンプ１２８Ｂにより第一位置決めレール１２１Ａ、第二位置決めレール１２１Ｂにスライド設置され、第一移動部品１２４Ａ及び第二移動部品１２４Ｂは接続部品１２２に対して第一方向ｄ１に沿って往復移動させることができる。本実施形態において２つの第一位置決めレール１２１Ａ及び２つの第二位置決めレール１２１Ｂを有し、第一移動部品１２４Ａ及び第二移動部品１２４Ｂにさらに安定的に第一方向ｄ１に沿って往復に相対移動させることができる。本発明のその他の実施形態において、第一移動部品１２４Ａ及び第二移動部品１２４Ｂはその他の適切な方法により第一位置決めレール１２１Ａ及び第二位置決めレール１２１Ｂにスライド設置されることがさらにでき、且つ、安定した折畳み、展開機能を提供するよう、第一位置決めレール１２１Ａ及び第二位置決めレール１２１Ｂの数量及び形状は適切に調整できる。
【００２５】
本発明のその他の実施形態において、上記シート体１１０は複数のガイド構造及び弾性部品を有することで、入力デバイスの折畳み、展開時の安定度を向上させることがさらにでき、以下にその他の実施形態を挙げて説明する。ここで説明すべきことは、下記の実施形態は前述の実施形態の部品番号と部分的な内容を用い、同じ部品番号を用いて同じ又は相似する部品を表記し、同じ技術内容の説明は省略する。省略部分の説明については前述の実施形態を参照するものとし、下記の実施形態において繰り返し説明しないことである。
【００２６】
図５Ａは本発明の第二実施形態の入力デバイスのシート体の図である。図５Ａからわかるように、シート体１１０Ａはシート体１１０とほぼ同じであるが、二者の主な差異は、本実施形態において、シート体１１０Ａは第一ガイド構造１１２Ａ、第二ガイド構造１１４Ａ、１１４Ｂ、１１６Ａ、１１６Ｂを有することである。第一ガイド構造１１２Ａは例えば切り欠きであり、第二ガイド構造１１４Ａ、１１４Ｂ、１１６Ａ、１１６Ｂは例えば溝である。換言すると、シート体１１０Ａは第二ガイド構造１１４Ａ、１１４Ｂ、１１６Ａ、１１６Ｂ部分に穴が開けられており、シート体１１０Ａは第一ガイド構造１１２Ａ部分に穴が開けられていない。さらに、第二ガイド構造１１４Ａ、１１４Ｂ、及び第二ガイド構造１１６Ａ、１１６Ｂは第一ガイド構造１１２Ａの両側に対称に配置される。
【００２７】
図５Ｂは本発明の第二実施形態の入力デバイスの第一入力モジュールと第二入力モジュールの図である。図５Ｂからわかるように、第一入力モジュール１３０Ｃは第一入力モジュール１３０Ａとほぼ同じであり、第二入力モジュール１３０Ｄは第二入力モジュール１３０Ｂとほぼ同じであるが、主な差異は、本実施形態において、第一入力モジュール１３０Ｃは第一摺動軸１３２Ｃ、１３４Ｃを有し、第二入力モジュール１３０Ｄは第二摺動軸１３２Ｄ、１３４Ｄを有することである。
【００２８】
図６Ａないし図６Ｃは本発明の第二実施形態の入力デバイスの３種類の状態の図である。図６Ａは、本発明の第二実施形態の入力デバイス１００Ａの接続モジュール１２０が折畳み位置に位置する図であり、図６Ｃは接続モジュール１２０が展開位置に位置する図であり、図６Ｂは接続モジュール１２０が折畳み位置及び展開位置の間を移動する時の図である。図４Ａ、図４Ｂ、図６Ａ〜図６Ｃからわかるように、本実施形態において、接続モジュール１２０はシート体１１０Ａの第一ガイド構造１１２Ａに移動可能に設置され、接続部品１２０は第一ガイド構造１１２Ａのビット制限を受けて第一ガイド構造１１２Ａ中を移動する。接続部品１２２が第二方向ｄ２に沿って折畳み位置及び展開位置との間を移動する過程において、相互に接近又は分離させるよう、第一移動部品１２４Ａ及び第二移動部品１２４Ｂは接続部品１２２に対して同時に第一方向ｄ１に沿って往復に移動し、第一方向ｄ１は第二方向ｄ２に垂直である。即ち、上記第一摺動軸１３２Ｃにより第二ガイド構造１１４Ａにスライド設置され、第一摺動軸１３４Ｃにより第二ガイド構造１１４Ｂにスライド設置され、第二摺動軸１３２Ｄにより第二ガイド構造１１６Ａにスライド設置され、第二摺動軸１３４Ｄにより第二ガイド構造１１６Ｂにスライド設置され、接続部品１２２が第二方向ｄ２に沿って折畳み位置及び展開位置との間を移動する時、相互に接近又は分離させるよう、第一移動部品１２４Ａ及び第二移動部品１２４Ｂは接続部品１２２に対して連動して第一方向ｄ１に沿って往復に移動する。同時に、上記複数の摺動軸及び第二ガイド構造より、折畳み又は展開の過程において入力デバイス１００Ａはさらに安定する。
【００２９】
一方、本発明の第二実施形態において、第一入力モジュール１３０Ｃの第一接続側１３１Ｃ及び第二入力モジュール１３０Ｄの第二接続側１３１Ｄはそれぞれ結合構造を備え、第一入力モジュール１３０Ｃ及び第二入力モジュール１３０Ｄを接続後にさらにしっかり接続するが、本発明はこれに限定しない。その他の実施形態において、第一接続側及び第二接続側の接続状態は必要に応じてその他の形態の接合構造に変更することがさらにでき、図が示す形態に限定しない。
【００３０】
図７Ａないし図７Ｂは本発明の第三実施形態の入力デバイスの接続モジュールの２種類の状態の図である。図７Ａ及び図７Ｂからわかるように、接続モジュール１２０Ａは接続モジュール１２０とほぼ同じであるが、主な差異は、本実施形態にいて、接続モジュール１２０Ａは第一弾性部品１４０Ａ及び第二弾性部品１４０Ｂをさらに有することである。第一弾性部品１４０Ａは第一移動部品１２４Ｃ及び接続部品１２２Ａに接続され、第二弾性部品１４０Ｂは第二移動部品１２４Ｄ及び接続部品１２２Ａに接続される。本実施形態において、第一弾性部品１４０Ａ及び第二弾性部品１４０Ｂは例えばねじりばねであることができる。第一弾性部品１４０Ａ及び第二弾性部品１４０Ｂは図７Ｂが示す状態の弾性ポテンシャルエネルギーは図７Ａが示す状態の弾性ポテンシャルエネルギーに比べて高く、即ち、第一弾性部品１４０Ａ及び第二弾性部品１４０Ｂの弾性回復力は第一移動部品１２４Ｃ及び第二移動部品１２４Ｄを接続部品１２２Ａの中間に接近させることができる。
【００３１】
図８Ａないし図８Ｃは本発明の第三実施形態の入力デバイスの３種類の状態の図である。図８Ａ〜図８Ｃからわかるように、入力デバイス１００Ｂは入力デバイス１００Ａとほぼ同じであるが、主な差異は、第一ガイド構造１１２Ｂは第一方向ｄ１の幅において第二方向ｄ２に沿って変更することである。即ち、第一ガイド構造１１２Ｂの折畳み位置が第一方向ｄ１の幅において第一入力モジュール１３０Ａの第一折畳み側は第二入力モジュール１３０Ｂの第二折畳み側に接近する時、接続モジュール１２０Ａの第一方向ｄ１における長さに等しい。第一ガイド構造１１２Ｂの展開位置は第一方向ｄ１の幅は第一入力モジュール１３０Ａの第一接続側は第二入力モジュール１３０Ｂの第二接続側に接近する時、接続モジュール１２０Ａの第一方向ｄ１における長さに等しい。図７Ａ及び７Ｂと併せて、上記第一弾性部品１４０Ａ及び第二弾性部品１４０Ｂの弾性回復力は第一入力モジュール１３０Ａ及び第二入力モジュール１３０Ｂを相互に接近させる。第一移動部品１２４Ｃ及び第二移動部品１２４Ｄは接続モジュール１２０Ａを第一方向ｄ１に沿って長さを変更し、且つ、図８Ｂは、接続モジュール１２０Ａが折畳み位置及び展開位置の間を移動する時、第一方向ｄ１における長さはいずれも接続モジュール１２０Ａが折畳み位置及び展開位置の長さより大きく、第一弾性部品１４０Ａ及び第二弾性部品１４０Ｂにより入力デバイス１００Ｂを折畳み又は展開時にさらに安定させ、操作時の揺れによってずれることはない。
【００３２】
以上をまとめると、本発明の入力デバイスは接続モジュールにより第一入力モジュール及び第二入力モジュールを相互に折畳み及び展開させることができる。さらに、折畳み及び展開の過程において、接続モジュールは第一入力モジュール及び第二入力モジュールの後方に位置するよう設計することができ、即ち、入力デバイスに隠されることで、入力デバイスの操作時における外観に影響せず、同時に入力デバイスが折畳み及び展開の過程において必要な空間を省くことができ、折畳み及び展開の過程の安定度をさらに向上させることができる。
【００３３】
本発明は以上の実施形態のように示したが、本発明は、これに限られるものではなく、当業者が本発明の精神の範囲から逸脱しない範囲において、変更又は修正することが可能であり、その特許権保護の範囲は、特許請求の範囲及び、それと均等な領域を基準として定めなければならない。
【産業上の利用可能性】
【００３４】
本発明は、良好な収納機能、及び、好ましい外観を有する入力デバイスを提供する。
【符号の説明】
【００３５】
ｄ１、ｄ２：方向
１００、１００Ａ、１００Ｂ：入力デバイス
１１０、１１０Ａ、１１０Ｂ：シート体
１１１：折畳み位置
１１２Ａ、１１２Ｂ：第一ガイド構造
１１４Ａ、１１４Ｂ、１１６Ａ、１１６Ｂ：第二ガイド構造
１１３：展開位置
１２０、１２０Ａ：接続モジュール
１２１Ａ、１２１Ｂ：位置決めレール
１２２、１２２Ａ：接続部品
１２３Ａ、１２３Ｂ：接続構造
１２４Ａ、１２４Ｂ、１２４Ｃ、１２４Ｄ：移動部品
１２８Ａ、１２８Ｂ：スライドバンプ
１３０Ａ、１３０Ｂ、１３０Ｃ、１３０Ｄ：入力モジュール
１３１Ａ、１３１Ｂ、１３１Ｃ、１３１Ｄ：接続側
１３２Ｃ、１３２Ｄ、１３４Ｃ、１３４Ｄ：摺動軸
１３３Ａ、１３３Ｂ：折畳み側
１３６Ａ：第一軸
１３６Ｂ：第二軸
１４０Ａ、１４０Ｂ：弾性部品
【図１】
2016081532.tif 000003
【図２】
2016081532.tif 000004
【図３Ａ】
2016081532.tif 000005
【図３Ｂ】
2016081532.tif 000006
【図４Ａ】
2016081532.tif 000007
【図４Ｂ】
2016081532.tif 000008
【図５Ａ】
2016081532.tif 000009
【図５Ｂ】
2016081532.tif 000010
【図６Ａ】
2016081532.tif 000011
【図６Ｂ】
2016081532.tif 000012
【図６Ｃ】
2016081532.tif 000013
【図７Ａ】
2016081532.tif 000014
【図７Ｂ】
2016081532.tif 000015
【図８Ａ】
2016081532.tif 000016
【図８Ｂ】
2016081532.tif 000017
【図８Ｃ】
2016081532.tif 000018